(57)【要約】【課題】装置の小型化を図れ、また、部品点数の削減化、コストの低減化を図ることができるレンズ鏡筒および撮像装置並びにその製造方法を提供する。【解決手段】  固定レンズ２６０２は該固定レンズ２６０２の光軸と直交する面に臨むように環状の当て付け面２６１０とを備えている。レンズ取付部５４には環状の当接部５４０８が構成されている。環状の当接部５４０８は固定レンズ２６０２の当て付け面２６１０に当接可能に形成されている。大径収容部５４０４には、接着剤注入孔５４１０と、固定レンズ２６０２の前面２６０４に弾接し固定レンズ２６０２の外周面２６０８を前記内周面に臨ませた状態で固定レンズ２６０２の当て付け面２６１０を当接部５４０８に当て付ける方向に付勢する付勢部材５６とが設けられている。【選択図】        図１９
2005122069.tif 000002
【特許請求の範囲】
【請求項１】
鏡筒の内部に設けられた撮像素子と、
前記鏡筒の内部で被写体像を前記撮像素子に導く光学系とを備え、
前記光学系は、前記鏡筒の内部のレンズ取付部に固定された固定レンズを有するレンズ鏡筒であって、
前記固定レンズは、光軸方向の両端に位置する前面および背面と、これら前面および背面を接続する外周面と、該固定レンズの光軸と直交する面に臨む当て付け面とを備え、
前記レンズ取付部には、前記固定レンズの外周面に臨む内周面と、接着剤注入孔と、前記固定レンズの外周面を前記内周面に臨ませた状態で前記当て付け面に当接可能な当接部と、該レンズ取付部に取着され前記固定レンズの前面または背面の一方の外周に弾接し前記固定レンズの外周面を前記内周面に臨ませた状態で前記固定レンズの当て付け面を前記当接部に当て付ける方向に付勢する付勢部材とを備え、
前記注入孔は前記内周面の周方向に間隔をおいて少なくとも３つ設けられ、
前記各注入孔は、それらの一端が鏡筒の外側に臨みそれらの他端が前記内周面に開口するように設けられ、
前記固定レンズは、前記注入孔から前記固定レンズの外周面と内周面との間に充填された接着剤により固定されている、
ことを特徴とするレンズ鏡筒。
【請求項２】
前記注入孔は、第１注入孔、第２注入孔、第３注入孔として３つ設けられ、第１注入孔と、第２注入孔および第３注入孔とは前記レンズ取付部の内周面の向かい合う箇所に設けられ、前記第１注入孔の軸心を延長した延長線は、第２注入孔と第３注入孔との間の箇所を延在していることを特徴とする請求項１記載のレンズ鏡筒。
【請求項３】
前記第２注入孔と第３注入孔は、前記レンズ取付部の内周面を中心として９０度の間隔をおいて設けられていることを特徴とする請求項２記載のレンズ鏡筒。
【請求項４】
前記注入孔は前記レンズ取付部の内周面を中心とした放射方向に延在していることを特徴とする請求項１記載のレンズ鏡筒。
【請求項５】
前記各注入孔は前記接着剤により閉塞されていることを特徴とする請求項１記載のレンズ鏡筒。
【請求項６】
前記当て付け面は前記固定レンズの中心を中心とした環状に設けられ、前記当接部は前記内周面の中心を中心とした環状に設けられていることを特徴とする請求項１記載のレンズ鏡筒。
【請求項７】
前記付勢部材は前記レンズ取付部に対して着脱可能に設けられていることを特徴とする請求項１記載のレンズ鏡筒。
【請求項８】
鏡筒の内部に設けられた撮像素子と、
前記鏡筒の内部で被写体像を前記撮像素子に導く光学系とを備え、
前記光学系は、前記鏡筒の内部のレンズ取付部に固定された固定レンズを有するレンズ鏡筒の製造方法であって、
前記固定レンズは、光軸方向の両端に位置する前面および背面と、これら前面および背面を接続する外周面と、該固定レンズの光軸と直交する面に臨む当て付け面とを備え、
前記レンズ取付部に、前記固定レンズの外周面に臨む内周面と、接着剤注入孔と、前記固定レンズの外周面を前記内周面に臨ませた状態で前記固定レンズの当て付け面に当接可能な当接部とを設けておき、
前記注入孔を前記内周面の周方向に間隔をおいて少なくとも３つ設け、各注入孔を、それらの一端が鏡筒の外側に臨みそれらの他端が前記内周面に開口するように形成しておき、
前記固定レンズの外周面を前記内周面に臨ませて前記固定レンズの当て付け面を前記当接部に当て付け、
前記固定レンズの前面または背面の一方の外周に付勢部材を弾接させ、前記固定レンズの当て付け面を前記当接部に当て付ける方向に付勢し、
前記３つの注入孔のうちの１つの注入孔から付勢ロッドを挿入し、この付勢ロッドの先端を前記固定レンズの外周面に当て付けて該付勢ロッドにより前記固定レンズをその半径方向に付勢し、
前記３つの注入孔の残りの２つの注入孔から調整ロッドをそれぞれ挿入し、これら２本の調整ロッドにより前記付勢ロッドの付勢力に抗して前記固定レンズの光軸と直交する平面内において互いに直交するＸ軸方向、Ｙ軸方向の位置調整を行ない、
この位置調整後、前記付勢ロッドを取り外し、その次に前記２本の調整ロッドを取り外し、
このように付勢ロッドおよび２本の調整ロッドを取り外した後、各注入孔から接着剤を固定例レンズの外周面と前記内周面との間に注入し、該接着剤により前記固定レンズを前記取付部に取着するようにした、
ことを特徴とするレンズ鏡筒の製造方法。
【請求項９】
前記各注入孔を前記接着剤により閉塞するようにしたことを特徴とする請求項８記載のレンズ鏡筒の製造方法。
【請求項１０】
鏡筒の内部に設けられた撮像素子と、
前記鏡筒の内部で被写体像を前記撮像素子に導く光学系とを備え、
前記光学系は、前記鏡筒の内部のレンズ取付部に固定された固定レンズを有するレンズ鏡筒を備える撮像装置であって、
前記固定レンズは、光軸方向の両端に位置する前面および背面と、これら前面および背面を接続する外周面と、該固定レンズの光軸と直交する面に臨む当て付け面とを備え、
前記レンズ取付部には、前記固定レンズの外周面に臨む内周面と、接着剤注入孔と、前記固定レンズの外周面を前記内周面に臨ませた状態で前記当て付け面に当接可能な当接部と、該レンズ取付部に取着され前記固定レンズの前面または背面の一方の外周に弾接し前記固定レンズの外周面を前記内周面に臨ませた状態で前記固定レンズの当て付け面を前記当接部に当て付ける方向に付勢する付勢部材とを備え、
前記注入孔は前記内周面の周方向に間隔をおいて少なくとも３つ設けられ、
前記各注入孔は、それらの一端が鏡筒の外側に臨みそれらの他端が前記内周面に開口するように設けられ、
前記固定レンズは、前記注入孔から前記固定レンズの外周面と内周面との間に充填された接着剤により固定されている、
ことを特徴とする撮像装置。
【発明の詳細な説明】
【技術分野】
【０００１】
本発明はレンズ鏡筒および撮像装置並びにその製造方法に関する。
【背景技術】
【０００２】
撮像装置のレンズ鏡筒は、鏡筒の内部に設けられた撮像素子と、前記鏡筒の内部で被写体像を前記撮像素子に導く光学系とを備え、前記光学系は、多くの場合、前記鏡筒の内部のレンズ取付部に固定された固定レンズを含んで構成されている。
このような固定レンズは、光学系の光軸にその光軸を合致させて鏡筒に取付ける必要があり、従来このような取付として、光学系のレンズを保持するための基板を設け、鏡筒に組み込む前にこの基板上において固定レンズを他の光学系のレンズに対して位置決め固定する技術が知られている（例えば特許文献１参照）。
【特許文献１】特開平１０−２３２３３５号公報
【発明の開示】
【発明が解決しようとする課題】
【０００３】
しかしながら、このような従来技術では、鏡筒の内部において、固定レンズを鏡筒に対して位置決めすることができない不具合があった。
また、鏡筒の内部に、固定レンズを位置決めするための調整機構を組み込んだものも提案されているが、調整機構を鏡筒の内部に組み込むため、装置が大型化し、また、装置毎に調整機構を有することから部品点数が増大し、コストの低減化を図ることができない不具合があった。
本発明はこのような事情に鑑みなされたものであり、その目的は、装置の小型化を図れ、また、部品点数の削減化、コストの低減化を図ることができるレンズ鏡筒および撮像装置並びにその製造方法を提供することにある。
【課題を解決するための手段】
【０００４】
上述の目的を達成するため、本発明のレンズ鏡筒は、鏡筒の内部に設けられた撮像素子と、前記鏡筒の内部で被写体像を前記撮像素子に導く光学系とを備え、前記光学系は、前記鏡筒の内部のレンズ取付部に固定された固定レンズを有するレンズ鏡筒であって、前記固定レンズは、光軸方向の両端に位置する前面および背面と、これら前面および背面を接続する外周面と、該固定レンズの光軸と直交する面に臨む当て付け面とを備え、前記レンズ取付部には、前記固定レンズの外周面に臨む内周面と、接着剤注入孔と、前記固定レンズの外周面を前記内周面に臨ませた状態で前記当て付け面に当接可能な当接部と、該レンズ取付部に取着され前記固定レンズの前面または背面の一方の外周に弾接し前記固定レンズの外周面を前記内周面に臨ませた状態で前記固定レンズの当て付け面を前記当接部に当て付ける方向に付勢する付勢部材とを備え、前記注入孔は前記内周面の周方向に間隔をおいて少なくとも３つ設けられ、前記各注入孔は、それらの一端が鏡筒の外側に臨みそれらの他端が前記内周面に開口するように設けられ、前記固定レンズは、前記注入孔から前記固定レンズの外周面と内周面との間に充填された接着剤により固定されていることを特徴とする。
また、本発明のレンズ鏡筒の製造方法は、鏡筒の内部に設けられた撮像素子と、前記鏡筒の内部で被写体像を前記撮像素子に導く光学系とを備え、前記光学系は、前記鏡筒の内部のレンズ取付部に固定された固定レンズを有するレンズ鏡筒の製造方法であって、前記固定レンズは、光軸方向の両端に位置する前面および背面と、これら前面および背面を接続する外周面と、該固定レンズの光軸と直交する面に臨む当て付け面とを備え、前記レンズ取付部に、前記固定レンズの外周面に臨む内周面と、接着剤注入孔と、前記固定レンズの外周面を前記内周面に臨ませた状態で前記固定レンズの当て付け面に当接可能な当接部とを設けておき、前記注入孔を前記内周面の周方向に間隔をおいて少なくとも３つ設け、各注入孔を、それらの一端が鏡筒の外側に臨みそれらの他端が前記内周面に開口するように形成しておき、前記固定レンズの外周面を前記内周面に臨ませて前記固定レンズの当て付け面を前記当接部に当て付け、前記固定レンズの前面または背面の一方の外周に付勢部材を弾接させ、前記固定レンズの当て付け面を前記当接部に当て付ける方向に付勢し、前記３つの注入孔のうちの１つの注入孔から付勢ロッドを挿入し、この付勢ロッドの先端を前記固定レンズの外周面に当て付けて該付勢ロッドにより前記固定レンズをその半径方向に付勢し、前記３つの注入孔の残りの２つの注入孔から調整ロッドをそれぞれ挿入し、これら２本の調整ロッドにより前記固定レンズの光軸と直交する平面内において互いに直交するＸ軸方向、Ｙ軸方向の位置調整を行ない、この位置調整後、前記付勢ロッドを取り外し、その次に前記２本の調整ロッドを取り外し、このように付勢ロッドおよび２本の調整ロッドを取り外した後、各注入孔から接着剤を固定例レンズの外周面と前記内周面との間に注入し、該接着剤により前記固定レンズを前記取付部に取着するようにしたことを特徴とする。
また、本発明の撮像装置は、鏡筒の内部に設けられた撮像素子と、前記鏡筒の内部で被写体像を前記撮像素子に導く光学系とを備え、前記光学系は、前記鏡筒の内部のレンズ取付部に固定された固定レンズを有するレンズ鏡筒を備える撮像装置であって、前記固定レンズは、光軸方向の両端に位置する前面および背面と、これら前面および背面を接続する外周面と、該固定レンズの光軸と直交する面に臨む当て付け面とを備え、前記レンズ取付部には、前記固定レンズの外周面に臨む内周面と、接着剤注入孔と、前記固定レンズの外周面を前記内周面に臨ませた状態で前記当て付け面に当接可能な当接部と、該レンズ取付部に取着され前記固定レンズの前面または背面の一方の外周に弾接し前記固定レンズの外周面を前記内周面に臨ませた状態で前記固定レンズの当て付け面を前記当接部に当て付ける方向に付勢する付勢部材とを備え、前記注入孔は前記内周面の周方向に間隔をおいて少なくとも３つ設けられ、前記各注入孔は、それらの一端が鏡筒の外側に臨みそれらの他端が前記内周面に開口するように設けられ、前記固定レンズは、前記注入孔から前記固定レンズの外周面と内周面との間に充填された接着剤により固定されていることを特徴とする。
【発明の効果】
【０００５】
そのため、本発明によれば、レンズ鏡筒のレンズ取付部に、固定レンズの外周面に臨む内周面と、注入孔と、固定レンズの外周面を内周面に臨ませた状態で固定レンズの当て付け面に当接可能な環状の当接部と、固定レンズの前面の外周に弾接し固定レンズの外周面を内周面に臨ませた状態で固定レンズの当て付け面を当接部に当て付ける方向に付勢する付勢部材とを備え、固定レンズが注入孔から固定レンズの外周面と内周面との間に充填された接着剤により固定される構成としたので、レンズ鏡筒の内部に固定レンズが配設された状態で固定レンズの光学系に対する位置決め（調芯）および固定レンズのレンズ鏡筒への取着を容易かつ確実に行なうことができる。
また、固定レンズの位置決めを行なうための専用の機構をレンズ鏡筒に新たに設ける必要が無いため、小型化および低コスト化を図る上で有利である。
また、固定レンズの位置決めと接着を同一の注入孔を用いて行なうため、鏡筒に設ける孔が少なくて済み、鏡筒の小型化および強度向上を図る上で有利である。
【発明を実施するための最良の形態】
【０００６】
レンズ鏡筒の内部に固定レンズが配設された状態で固定レンズの光学系に対する位置決めおよび固定レンズのレンズ鏡筒への取着を容易かつ確実に行なうという目的を、固定レンズの当て付け面をレンズ取付部の当接部に当て付ける方向に付勢しつつ位置決めし、注入孔から固定レンズの外周面と内周面との間に充填された接着剤により固定レンズを固定することによって実現した。
【実施例１】
【０００７】
次に本発明の実施例１について図面を参照して説明する。
本実施例では、本発明のレンズ鏡筒が撮像装置に組み込まれている場合について説明する。
図１は実施例１の撮像装置を前方から見た斜視図、図２は実施例１の撮像装置を後方から見た斜視図、図３は実施例１の撮像装置を下方から見た斜視図、図４はメモリカードおよびバッテリーの収容状態を説明する説明図、図５は撮像装置の制御系を示すブロック図である。
図１、図２に示すように、撮像装置１００はデジタルスチルカメラであって、外装を構成する矩形板状のケース１０２を有し、ケース１０２は、前側ケース１０２Ａと後側ケース１０２Ｂとが合わせられて構成され、前側ケース１０２Ａによりケース１０２の前面が構成され、後側ケース１０２Ｂによりケース１０２の後面が構成されている。なお、本明細書においてケース１０２の左右はケース１０２を前方から見た状態でいうものとする。
ケース１０２の右側部には、図中二点鎖線で示すように、本発明に係るレンズ鏡筒１０が組み込まれており、レンズ鏡筒１０には、対物レンズ１４と、撮像素子１２８と、対物レンズ１４で捉えた被写体像を撮像素子１２８に導く光学系１０４などが設けられており、これら対物レンズ１４と光学系１０４によって特許請求の範囲の光学系が構成されている。
対物レンズ１４は前側ケース１０２Ａに設けられたレンズ窓１０３を介してケース１０２前方に臨んで配置されている。
ケース１０２の前面右寄りの箇所には、撮影補助光を出射するフラッシュ１０８、セルフタイマーランプ１１０などが設けられている。
ケース１２の前面にはカバー１１２が上下にスライド可能に設けられ、このカバー１１２は、図１に示すようにレンズ窓１０３、フラッシュ１０８、セルフタイマーランプ１１０を前方に露出させる下限位置と、これらレンズ窓１０３、フラッシュ１０８、セルフタイマーランプ１１０を覆う上限位置とにスライドされる。
ケース１２の上面の左寄り箇所には、シャッターボタン１１４、電源ボタン１１６などが設けられている。
ケース１２の後面には静止画および動画などの画像や文字や記号などが表示されるディスプレイ１１８（液晶表示器）、撮影光学系１０４のズーミング動作を行なわせるためのズームスイッチ１２０、各種操作を行なうための十字スイッチ１２２および複数の操作ボタン１２４が設けられている。
ケース１２の左側面には、撮像装置１００を静止画撮影モード、動画撮影モード、再生・編集モードなどに切り替えるためのモードスイッチ１２６が設けられている。
図３、図４に示すように、ケース１０２の下面には、静止画あるいは動画などの画像などを記録するためのメモリカード１３２を装脱可能に収容するメモリ収容室１０２Ａと、撮像装置１００の電源を構成するバッテリー１３８を装脱可能に収容するバッテリー収容室１０２Ｂとがケース１２の前後方向（厚さ方向）に並べて設けられている。これらメモリ収容室１０２Ａ、バッテリー収容室１０２Ｂはケース１０２の下面にヒンジを介して連結された開閉蓋１０２Ｃによって開閉される。
【０００８】
図５に示すように、撮像素子１２８は、光学系１０４によって結像された被写体像を撮像するＣＣＤやＣＭＯＳセンサなどで構成されている。
撮像素子１２８で撮像された像は撮像信号として画像処理部１３０に出力され、画像処理部１３０ではこの撮像信号に基づいて静止画あるいは動画の画像データが生成され、メモリカード（記憶媒体）１３２に記録される。また、前記画像データは表示処理部１３４によりディスプレイ１１８に表示される。
さらに、撮像装置１００は、シャッタボタン１１４、十字スイッチ１２２、操作ボタン１２４、モードスイッチ１２６の操作に応じて、画像処理部１３０、表示処理部１３４を制御するＣＰＵなどを含む制御部１３６を備えている。
【０００９】
図６はレンズ鏡筒１０を斜め前方から見た斜視図、図７はレンズ鏡筒１０を斜め後方から見た斜視図、図８はレンズ鏡筒１０の一部の構成を示す分解斜視図、図９はレンズ鏡筒１０の残りの構成を示す分解斜視図、図１０は図６のＸＸ線断面図、図１１は図６のＹＹ線断面図、図１２はレンズ鏡筒１０の左側部分の断面斜視図、図１３はレンズ鏡筒１０の右側部分の断面斜視図、図１４は第１鏡筒分割体１２０２の横断面図、図１５は第２鏡筒分割体１２０４の横断面図、図１６はズーム用可動レンズ群１８、フォーカス用可動レンズ群２０の斜視図、図１７は第２鏡筒分割体１２０４の要部の断面斜視図である。
【００１０】
図６乃至図９に示すように、レンズ鏡筒１０は、鏡筒１２と、対物レンズ１４と、撮像素子１２８と、光学系１０４とを含んで構成されている。
本実施例では、光学系１０４は、プリズム１６と、ズーム用可動レンズ群１８と、フォーカス用可動レンズ群２０と、第１の固定レンズ群２２と、第２の固定レンズ群２４と、第３の固定レンズ群２６と、ズーム用可動レンズ群１８用の案内機構２８と、フォーカス用可動レンズ群２０用の案内機構３０とを備えている。
さらに、ズーム用可動レンズ群１８を移動させる駆動手段３２と、フォーカス用可動レンズ群２０を移動させる駆動手段３４とが設けられている。
【００１１】
図６、図７に示すように、鏡筒１２は、全体として幅および長さ並びに厚さを有する平板形状を呈しており、対物レンズ１４と撮像素子１２８と光学系１０４とは鏡筒１２の幅方向の中央部で鏡筒１２の長さ方向に沿って並べられて配置されている。
鏡筒１２は、長さ方向において分割された第１鏡筒分割体１２０２および第２鏡筒分割体１２０４と、これら２つの鏡筒分割体１２０２，１２０４の間に挟まれる第３鏡筒分割体１２０６とで構成され、鏡筒１２の長手方向の一方の半部に第１鏡筒分割体１２０２が位置し、鏡筒１２の長手方向方の他方の半部に第２鏡筒分割体１２０４が位置し、これら第１鏡筒分割体１２０２および第２鏡筒分割体１２０４の間に第３鏡筒分割体１２０８が介在されている。
なお、本実施例では、図１に示すように、鏡筒１２の長さ方向が上下方向に向けて配置されることから、鏡筒１２の上部に第１鏡筒分割体１２０２が位置し、鏡筒１２の下部に第２鏡筒分割体１２０４が位置し、鏡筒１２の上下方向の中央部に第３鏡筒分割体１２０８が位置している。そして、撮像装置１００のケース１０２の前面に平行する鏡筒１２の厚さ方向の一方の面が鏡筒１２の前面となり、ケース１０２の後面に平行する他方の面が鏡筒１２の後面となり、鏡筒１２の幅方向の一方の面が左側面となり、他方の面が右側面となる。また、本実施例では、これら第１、第２、第３鏡筒分割体１２０２、１２０４、１２０６は合成樹脂材料によって形成されている。
【００１２】
図８、図１０乃至図１３に示すように、第１鏡筒分割体１２０２の内部には、下面に開放状の部品収容空間１２０２Ａが設けられており、対物レンズ１４はその前面側にレンズ押え１４０２が位置し後面側に遮光枠１４０４が位置した状態で、第１鏡筒分割体１２０２の前面の上部でかつ幅方向の中央部に取着されている。
プリズム１６は、対物レンズ１４で捉えた像を下部に向けて（撮像素子１２８側に）反射させるもので本実施例ではプリズムが用いられている。プリズム１６は、部品収容空間１２０２Ａで対物レンズ１４に臨む箇所に配置されている。
第１の固定レンズ群２２とズーム用可動レンズ群１８とは、部品収容空間１２０２Ａ内でプリズム１６の下方に配置されている。
第１の固定レンズ群２２は、第１鏡筒分割体１２０２の取付部に組み込まれるレンズ２２０２と、このレンズ２２０２を前記取付部に固定させる押え部材２２０４（遮光枠を兼ねる）とで構成されている。
【００１３】
図８に示すように、ズーム用可動レンズ群１８は、第１のズームレンズ１８０２と、互いに貼り合わされた第２、第３のズームレンズ１８０４、１８０５と、これら第１、第２、第３のズームレンズ１８０２、１８０４、１８０５の外周部をカシメにより支持したズーム用レンズ枠１８０６とを有している。
図１４に示すように、鏡筒１２の厚さ方向の両端に位置する第１、第２、第３のズームレンズ１８０２、１８０４、１８０５の部分はそれぞれ切り取られ、これにより鏡筒１２の厚さ方向の端部に位置する第１、第２、第３のズームレンズ１８０２、１８０４、１８０５の両端には、鏡筒１２の前面および後面に平行して直線状に延在する縁部１８０８が設けられている。
ズーム用レンズ枠１８０６は、第１、第２、第３のズームレンズ１８０２、１８０４、１８０５の周囲に位置しこれら第１、第２、第３のズームレンズ１８０２、１８０４、１８０５を保持する保持部１８１０と、この保持部１８１０から部品収容空間１２０２Ａ内の幅方向に延在する延在部１８１２とを有している。
保持部１８１０には、第１、第２、第３のズームレンズ１８０２、１８０４、１８０５の縁部１８０８に対応して鏡筒１２の前面および後面に平行して延在する直線部１８１４がそれぞれ設けられている。
図１６に示すように、延在部１８１２には、ロッド挿通孔１８１４が設けられ、また、鏡筒１２の長手方向において互いに対向するフランジ１８１６、１８１６が設けられ、これらフランジ１８１６、１８１６には、図８に示すように、軸３６０２、３６０２を介して雌ねじ３６０４を有する雌ねじ部材３６が鏡筒１２の長手方向に移動不能に結合される。
また、延在部１８１２とは反対側に位置する保持部１８１０の箇所で部品収容空間１２０２Ａの隅部１２０２Ｂ（本実施例では左側面と後面とが交わる箇所）に位置する箇所に係合溝１８１８が形成されている。
【００１４】
ロッド挿通孔１８１４には、第１鏡筒分割体１２０２の長さ方向に延在する金属製のメインガイド軸３８が滑動可能に挿通されている。このメインガイド軸３８はその長さ方向の両端が第１鏡筒分割体１２０２の上面を構成する壁部と、第３鏡筒分割体１２０６の壁部とで支持されている。メインガイド軸３８は第１、第２、第３のズームレンズ１８０２、１８０４、１８０５の光軸と平行して延在しており、本実施例では第１鏡筒分割体１２０２の長さ方向に延在している。したがって、メインガイド軸３８はズーム用可動レンズ群１８を該ズーム用可動レンズ群１８の光軸方向に案内している。
係合溝１８１８には、第１鏡筒分割体１２０２の長さ方向に延在するサブガイド軸４０が滑動可能に挿通されている。したがって、サブガイド軸４０はズーム用レンズ１８がメインガイド軸３８の回りに回転することを阻止している。サブガイド軸４０は第１鏡筒分割体１２０２と一体に形成されており、したがって、合成樹脂製である。サブガイド軸４０は、詳細には、部品収容空間１２０２Ａの隅部１２０２Ｂから突出する脚部４００２と、この脚部４００２の先端に設けられた軸状部分４００４とで構成されている。サブガイド軸４０は第１、第２、第３のズームレンズ１８０２、１８０４、１８０５の光軸と平行して延在しており、本実施例では第１鏡筒分割体１２０２の長さ方向に延在している。
ズーム用可動レンズ群１８用の案内機構２８は、これらメインガイド軸３８とサブガイド軸４０によって構成されている。
【００１５】
図８、図１６に示すように、ズーム用可動レンズ群１８を移動させる駆動手段３２は、鏡筒１２の長さ方向に延在するホルダ３２０２と、ホルダ３２０２の上部に設けられたモータ３２０４と、ホルダ３２０２に沿って延在しモータ３２０４により回転駆動される雄ねじ部材３２０６とを有している。
ホルダ３２０２は第１鏡筒分割体１２０２の右側面の欠部に取着され、これにより雄ねじ部材３２０６が部品収容空間１２０２Ａに位置し、モータ３２０４は第１鏡筒分割体１２０２の上面に位置する。
雄ねじ部材３２０６は雌ねじ部材３６の雌ねじ３６０４に螺合され、したがってモータ３２０４の正逆転によりズーム用可動レンズ群１８はメインガイド軸３８およびサブガイド軸４０に案内されつつそれらの光軸方向に沿って往復移動され、ズーム動作がなされる。
本実施例では、図１４に示すように、ズーム用可動レンズ群１８とメインガイド軸３８と雄ねじ部材３２０６とが第１鏡筒分割体１２０２の内部で第１鏡筒分割体１２０２の幅方向に並べられて配置され、サブガイド軸４０はメインガイド軸３８および雄ねじ部材３２０６とは反対側に位置するズーム用レンズ枠１８０６箇所に配置されることになる。
【００１６】
図８に示すように、第３鏡筒分割体１２０６は、部品収容空間１２０２Ａ内に臨む内部部分１２０６Ａと、部品収容空間１２０２Ａ外に位置する外部部分１２０６Ｂとを有している。
第２の固定レンズ群２４は、その光軸をズーム用可動レンズ群１８の光軸と一致させて内部部分１２０６Ａに取着され、また、第２固定レンズ２４の後面にアイリス（絞り）４２が配置されている。このアイリス４２は、第３鏡筒分割体１２０６の外部部分１２０６Ｂに取着された駆動部４４により開閉される。
本実施例では、図１８に示すように、サブガイド軸４０は第１鏡筒分割体１２０２の下面よりも下方に突出され、より詳細には第１鏡筒分割体１２０２が第３鏡筒分割体１２０６に合わされる合わせ面よりも下方に突出され、このサブガイド軸４０の突出部分４０Ａが、第３鏡筒分割体１２０６の合わせ面の孔１２０６Ａに嵌合されることで第１鏡筒分割体１２０２と第３鏡筒分割体１２０６との位置決めがなされている。
なお、第１鏡筒分割体１２０２と第３鏡筒分割体１２０６とは図１４に示すように、前記駆動部４４近傍の箇所でねじ２０２により取着され、第２鏡筒分割体１２０４と第３鏡筒分割体１２０６とは図９に示すように、右側面寄りの箇所によりねじ２０４により取着されている。
【００１７】
第２鏡筒分割体１２０４の内部には、本実施例では、上下に開放された部品収容空間１２０４Ａが形成されており、第２鏡筒分割体１２０４の下部に撮像素子取付板４６が取着されることでこの部品収容空間１２０４Ａの下端は閉塞されている。したがって、本実施例では、第２鏡筒分割体１２０４は撮像素子取付板４６を含んで構成されている。
フォーカス用可動レンズ群２０と第３の固定レンズ群２６は、部品収容空間１２０４Ａ内で第２鏡筒分割体１２０４の幅方向中央に位置する箇所に配置されている。
【００１８】
フォーカス用可動レンズ群２０は、互いに貼り合わされた第１、第２のフォーカスレンズ２００２、２００４と、これら第１、第２のフォーカスレンズ２００２、２００４を支持するフォーカス用レンズ枠２００６とを有している。
図１５に示すように、鏡筒１２の厚さ方向の両端に位置する第１、第２のフォーカスレンズ２００２、２００４の部分はそれぞれ切り取られ、これにより鏡筒１２の厚さ方向の端部に位置する第１、第２のフォーカスレンズ２００２、２００４の両端には、鏡筒１２の前面および後面に平行して直線状に延在する縁部２００８が設けられている。
フォーカス用レンズ枠２００６は、第１、第２のフォーカスレンズ２００２、２００４の周囲に位置しこれら第１、第２のフォーカスレンズ２００２、２００４を保持する保持部２０１０と、この保持部２０１０から部品収容空間１２０４Ａ内の幅方向に延在する延在部２０１２とを有している。
保持部２０１０には、第１、第２のフォーカスレンズ２００２、２００４の縁部２００８に対応して鏡筒１２の前面および後面に平行して延在する直線部２０１４がそれぞれ設けられている。
延在部２０１２には、ロッド挿通孔２０１４が設けられ、また、図１６に示すように、鏡筒１２の長手方向において互いに対向するフランジ２０１６、２０１６が設けられ、これらフランジ２０１６、２０１６には、図９に示すように、軸４８０２、４８０２を介して雌ねじ４８０４を有する雌ねじ部材４８が鏡筒１２の長手方向に移動不能に結合される。
また、延在部２０１２とは反対側に位置する保持部２０１０の箇所で部品収容空間１２０４Ａの隅部１４０２Ｂ（本実施例では左側面と後面とが交わる箇所）に位置する箇所に係合溝２０１８が形成されている。
【００１９】
ロッド挿通孔２０１４には、第２鏡筒分割体１２０４の長さ方向に延在する金属製のメインガイド軸５０が滑動可能に挿通されている。このメインガイド軸５０はその長さ方向の両端が第３鏡筒分割体１２０６の壁部と、第２鏡筒分割体１２０４の下部に設けられた壁部とで支持されている。メインガイド軸５０は第１、第２のフォーカスレンズ２００２、２００４の光軸と平行して延在しており、本実施例では第２鏡筒分割体１２０４の長さ方向に延在している。したがって、メインガイド軸５０はフォーカス用可動レンズ群２０を該フォーカス用可動レンズ２８の光軸方向に案内している。
係合溝２０１８には、第２鏡筒分割体１２０４の長さ方向に延在するサブガイド軸５２が滑動可能に挿通されている。したがって、サブガイド軸５２はフォーカス用レンズ２０がメインガイド軸５０の回りに回転することを阻止している。サブガイド軸５２は第２鏡筒分割体１２０４と一体に形成されており、したがって、合成樹脂製である。サブガイド軸５２は、詳細には、部品収容空間１２０４Ａの隅部から突出する脚部５２０２と、この脚部５２０２の先端に設けられた軸状部分５２０４とで構成されている。サブガイド軸５２は第１、第２のフォーカスレンズ２００２、２００４の光軸と平行して延在しており、本実施例では第２鏡筒分割体１２０４の長さ方向に延在している。
フォーカス用可動レンズ群２０用の案内機構３０は、これらメインガイド軸３８とサブガイド軸４０によって構成されている。
なお、本実施の形態では、図１８に示すように、サブガイド軸５２は第２鏡筒分割体１２０４の上面よりも上方に突出され、より詳細には第２鏡筒分割体１２０４が第３鏡筒分割体１２０６に合わされる合わせ面よりも上方に突出され、このサブガイド軸５２の突出部分５２Ａが、第３鏡筒分割体１２０６の合わせ面の孔１２０６Ｂに嵌合されることで第２鏡筒分割体１２０４と第３鏡筒分割体１２０６の位置決めがなされている。
【００２０】
フォーカス用可動レンズ群２０を移動させる駆動手段３４は、鏡筒１２の長さ方向に延在するホルダ３４０２と、ホルダ３４０２の下部に設けられたモータ３４０４と、ホルダ３４０２に沿って延在しモータ３４０４により回転駆動される雄ねじ部材３４０６とを有している。
ホルダ３４０２は第２鏡筒分割体１２０４の右側面の欠部に取着され、これにより雄ねじ部材３４０６が部品収容空間１２０４Ａに位置し、モータ３４０４は第２鏡筒分割体１２０４の下部に位置する。
雄ねじ部材３４０６は雌ねじ部材４８の雌ねじ４８０４に螺合され、したがってモータ３４０４の正逆転によりフォーカス用可動レンズ群２０はメインガイド軸５０およびサブガイド軸５２に案内されつつそれらの光軸方向に沿って往復移動され、フォーカス動作がなされる。
したがって、本実施例では、フォーカス用可動レンズ群２０とメインガイド軸５０と雄ねじ部材３４０４とが第２鏡筒分割体１２０４の内部で第２鏡筒分割体１２０４の幅方向に並べられて配置され、サブガイド軸５２はメインガイド軸５０および雄ねじ部材３０６とは反対側に位置するフォーカス用レンズ枠２００６箇所に配置されることになる。
第３の固定レンズ群２６は、フォーカス用可動レンズ群２０の下方の部品収容空間１２０４Ａ箇所に配置されている。
【００２１】
撮像素子取付板４６は、部品収容空間１２０４Ａの下端を閉塞するように第２鏡筒分割体１２０４の下部にねじ２０６、２０６によって取着されている。
撮像素子１２８は、撮像素子取付板４６が部品収容空間１２０４Ａに臨む内面に配置されている。
本実施例では撮像素子取付板４６に矩形の窓４６０２が設けられ、この窓４６０２に撮像素子１２８が嵌め込まれて配置され、撮像素子取付板４６の内面で撮像素子１２８の上面にシールガラス４６０４、シールゴム４６０６およびローパスフィルタ４６０８が配置され、押さえ板４６１０によって固定されている。
【００２２】
なお、図１１、図１２、図１３、図１７に示すように、部品収容空間１２０４Ａに臨む第２鏡筒分割体１２０４の後面箇所で第２鏡筒分割体１２０４Ａの上端と第２の固定レンズ群２４との間の箇所には凹凸部１２０４Ｃが設けられている。
また、部品収容空間１２０４Ａに臨む第２鏡筒分割体１２０４の後面箇所で第３の固定レンズ群２６と撮像素子１２８との間の箇所には凹凸部１２０４Ｄが設けられている。
これらの凹凸部１２０４Ｃ、１２０４Ｄは、対物レンズ１４、プリズム１６、第１の固定レンズ群２２、ズーム用可動レンズ群１８、第２固定レンズ２４、フォーカス用可動レンズ群２０を介して進入してきた光のうち、部品収容空間１２０４Ａに臨む第２鏡筒分割体１２０４の後面箇所に到達した光が該後面箇所で反射されることで、いわゆるフレアあるいはゴーストと呼ばれる反射光が発生し、この反射光が撮像素子１２８の受光面に到達して撮像素子１２８の撮像信号に対して悪影響を及ぼすことを防止するために設けられている。
なお、撮像素子１２８から遠い箇所に設けられた凹凸部１２０４Ｃの凹凸の間隔に対して撮像素子１２８から近い箇所に設けられた凹凸部１２０４Ｄの凹凸の間隔が大きく形成されている。これは、凹凸部１２０４Ｃに当たる前記光の角度に対して凹凸部１２０４Ｄに当たる前記光の角度がより小さいためであり、このように凹凸部１２０４Ｃ、１２０４Ｄの凹凸の間隔を変えることで、第２鏡筒分割体１２０４の成形時に金型からの取り外し性が向上される利点がある。
【００２３】
次に、図１９乃至図２２を参照して第３の固定レンズ群２６の取付構造について説明する。
図１９は第２鏡筒分割体１２０４の一部を破断した分解斜視図、図２０は第２鏡筒分割体１２０４の横断面図、図２１は第２鏡筒分割体１２０４に対する第３の固定レンズ群２６の取付状態を示す横断面図、図２２は第２鏡筒分割体１２０４に対する第３の固定レンズ群２６の取付状態を示す縦断面図である。
図９、図１０に示すように、本実施例では第３の固定レンズ群２６は単一の固定レンズ２６０２で構成されており、第２鏡筒分割体１２０４のレンズ取付部５４に配設されている。
図１０、図１９に示すように、固定レンズ２６０２は、光軸方向の両端に位置する前面２６０４（対物レンズ１４側に位置する面）および背面２６０６（撮像素子１２８側に位置する面）と、これら前面２６０４および背面２６０６を接続する外周面２６０８と、該固定レンズ２６０２の光軸と直交する面に臨むように環状の当て付け面２６１０とを備えている。
本実施例では、固定レンズ２６０２は背面２６０６側に位置する小径部２６１２と、前面２６０４側に位置する小径部２６１２よりも直径が大きな大径部２６１４とを有し、したがって固定レンズ２６０２の外周面２６０８は、小径部２６１２の外周面２６０８Ａと大径部２６１４の外周面２６０８Ｂとで構成されている。
小径部２６１２と大径部２６１４との境の部分に環状の段差が形成され、当て付け面２６１０はこの環状の段差により構成されている。
また、本実施例では、図１９、図２１に示すように、大径部２６１４の一部が切り取られることにより大径部２６１４に直線縁部２６１６が形成されており、鏡筒１２の薄型化が図られている。
【００２４】
レンズ取付部５４は、小径部２６１２が収容される小径収容部５４０２と、大径部２６１４が収容される大径収容部５４０４とを有し、小径収容部５４０２は、固定レンズ２６０２の小径部２６１２の外周面２６０８Ａに臨む内周面５４０６Ａで形成され、大径収容部５４０４は、固定レンズ２６０２の大径部２６１４の外周面２６０８Ｂに臨む内周面５４０６Ｂで形成されている。
そして、大径収容部５４０４と小径収容部５４０２との境の部分に段差が形成され、この段差により環状の当接部５４０８が構成されている。環状の当接部５４０８は、固定レンズ２６０２の大径部２６１４の外周面２６０８Ｂを内周面５４０６Ｂに臨ませた状態で固定レンズ２６０２の当て付け面２６１０に当接可能に形成されている。
【００２５】
また、大径収容部５４０４には、接着剤注入孔５４１０と、固定レンズ２６０２の前面２６０４に弾接し固定レンズ２６０２の外周面２６０８を内周面５４０６Ａ、５４０６Ｂに臨ませた状態で前記固定レンズ２６０２の当て付け面２６１０を当接部５４０８に当て付ける方向に付勢する付勢部材５６とが設けられている。
付勢部材５６は、前面２６０４の外周面に接触する環状の帯部５６０２と、環状の帯部５６０２から半径方向外側に延在する１つの脚部５６０４Ａと２つの脚部５６０４Ｂとを備えている。そして、図１０に示すように、これら３つの脚部５６０４Ａ、５６０４Ｂの先端の係合部５６０６Ａ、５６０６Ｂが第２鏡筒分割体１２０４の係合溝１２０４′、１２０４″に係合することで第２鏡筒分割体１２０４に着脱可能に取着され、このように取着された状態で環状の帯部５６０２が前面２６０４の外周面に接触し、固定レンズ２６０２の当て付け面２６１０を当接部５４０８に当て付ける方向に付勢している。
【００２６】
接着剤注入孔５４１０は内周面５４０６Ｂの周方向に間隔をおいて少なくとも３つ設けられ、本実施例では、第１乃至第４接着剤注入孔５４１０Ａ、５４１０Ｂ、５４１０Ｃ、５４１０Ｄの４つが設けられ、それらの一端が鏡筒１２の外側に臨みそれらの他端が前記内周面５４０６Ｂに開口するように設けられている。
これら４つの注入孔はそれぞれ内周面５４０６Ｂの中心から放射方向（内周面５４０６Ｂの径方向）に延在し、４つの注入孔のうち、第１注入孔５４１０Ａと、第２注入孔５４１０Ｂおよび第３注入孔５４１０Ｃとはレンズ取付部の内周面の向かい合う箇所に設けられ、第１接着剤注入孔５４１０Ａの軸心を延長した延長線は第２注入孔５４１０Ｂと第３注入孔５４１０Ｃとの間の箇所を延在している。より詳細には、第１乃至第４接着剤注入孔５４１０Ａ、５４１０Ｂ、５４１０Ｃ、５４１０Ｄは、内周面５４０６Ｂの周方向に１３５度、９０度、４５度、９０度の間隔をおいて設けられている。
すなわち、第１接着剤注入孔５４１０Ａから固定レンズを付勢した状態で、この付勢力に抗して第２、第３接着剤注入孔５４１０Ｂ、５４１０Ｃからロッドを挿入して固定レンズを移動させると、固定レンズは該固定レンズの光軸と直交する面内において、互いに直交するＸ軸方向とＹ軸方向との位置調整がなされるように構成されている。
固定レンズ２６０２は、第１乃至第４接着剤注入孔５４１０Ａ、５４１０Ｂ、５４１０Ｃ、５４１０Ｄから固定レンズ２６０２の大径部２６１４の外周面２６０８Ｂと内周面５４０６Ｂとの間に充填された接着剤Ｓにより固定されており、本実施例では接着剤ＳとしてＵＶ硬化型接着剤（紫外線硬化型接着剤）を用いている。
【００２７】
次に、第３の固定レンズ群２６の取付手順について説明する。
まず、図１９乃至図２２に示すように、小径部２６１２を小径収容部５４０２に、また、大径部２６１４を大径収容部５４０４に位置するように固定レンズ２６０２を第２鏡筒分割体１２０４のレンズ取付部５４に挿入し、固定レンズ２６０２の外周面２６０８Ａ、２６０８Ｂを内周面５４０６Ａ、５４０６Ｂに臨ませて固定レンズ２６０２の当て付け面２６１０を当接部５４０８に当て付ける。
次いで、付勢部材５６をレンズ取付部５４に挿入し、３つの係合部５６０６を第２鏡筒分割体１２０４の係合溝１２０４Ｂに係合させることで第２鏡筒分割体１２０４に取着し、これにより、固定レンズ２６０２の前面２６０４の外周に環状の帯部５６０２を弾接させ、付勢部材５６により固定レンズ２６０２の当て付け面２６１０を当接部５４０８に当て付ける方向に付勢させた状態とする。
次に、図２３に示すように、第１接着剤注入孔５４１０Ａから付勢ロッド５８を挿入し、この付勢ロッド５８の先端を固定レンズ２６０２の大径部の外周面２６０８Ｂに当て付けて該付勢ロッド５８により固定レンズ２６０２をその半径方向に付勢する。なお、付勢ロッド５８は、その長手方向の中間部に装着されたコイルスプリング５８０２Ａにより突出する方向に付勢されている。
そして、第２、第３接着剤注入孔５４１０Ｂ、５４１０Ｃから調整ロッド６０をそれぞれ挿入し、付勢ロッド５８の付勢力に抗してこれら２本の調整ロッド６０により固定レンズ２６０２の光軸と直交する平面内において互いに直交するＸ軸方向、Ｙ軸方向の位置調整を行なう。
調整ロッド６０は、その軸線方向に沿って精密に動くように不図示のマイクロメータヘッドや自動ステージなどの従来公知の様々な駆動機構に連結されており、該駆動機構を操作することによって２本の調整ロッド６０がＸ軸方向、Ｙ軸方向に沿って動かされるように構成されている。
したがって、各調整ロッド６０を伸長縮小作動させることにより固定レンズ２６０２がＸ軸方向、Ｙ軸方向に沿って位置決めされ、光学系１０４の光軸に固定レンズ２６０２の光軸が合致される。この固定レンズ２６０２の位置決めは、対物レンズ１４によって所定のテストチャート（テストパターン）を捉え、光学系１０４によって前記テストチャートを撮像素子１２８に結像させ、その撮像素子１２８によって得られた画像データをディスプレイに表示させ、該表示された画像データを視認しつつ行なわれる。
【００２８】
このようにして固定レンズ２６０２の光軸が光学系１０４の光軸と合致されたならば、図２４に示すように、付勢ロッド５８を取り外し、その次に２本の調整ロッド６０を取り外す。
なお、このように付勢ロッド５８および２本の調整ロッド６０を取り外しても、固定レンズ２６０２は付勢部材により当接部に当て付けられているため、固定レンズ２６０２の光軸と光学系１０４の光軸とが合致した状態は保持されている。
付勢ロッド５８および２本の調整ロッド６０を取り外した後、図２５（Ａ）、（Ｂ）、（Ｃ）に示すように、第１乃至第４接着剤注入孔５４１０Ａ、５４１０Ｂ、５４１０Ｃ、５４１０Ｄから接着剤充填用のシリンジ６２を挿入し、該シリンジ６２から接着剤Ｓを固定レンズ２６０２の外周面２６０８Ｂと内周面５４０６Ｂとの間に注入し、さらに、接着剤Ｓを第１乃至第４接着剤注入孔５４１０Ａ、５４１０Ｂ、５４１０Ｃ、５４１０Ｄ内に充填することにより第１乃至第４接着剤注入孔５４１０Ａ、５４１０Ｂ、５４１０Ｃ、５４１０Ｄを閉塞する。
そして、紫外線を第１乃至第４接着剤注入孔５４１０Ａ、５４１０Ｂ、５４１０Ｃ、５４１０Ｄから接着剤Ｓに照射することで接着剤Ｓを硬化させ、これにより図２１、図２２に示すように、固定レンズ２６０２をレンズ取付部５４に取着する。
【００２９】
以上説明したように本実施例によれば、レンズ鏡筒１２のレンズ取付部５４に、固定レンズ２６０２の外周面２６０８Ｂに臨む内周面５４０６Ｂと、第１乃至第４接着剤注入孔５４１０Ａ、５４１０Ｂ、５４１０Ｃ、５４１０Ｄと、固定レンズ２６０２の外周面２６０８Ｂを内周面５４０６Ｂに臨ませた状態で固定レンズ２６０２の当て付け面２６１０に当接可能な環状の当接部５４０８と、固定レンズ２６０２の前面２６０４の外周に弾接し固定レンズ２６０２の外周面２６０８Ｂを内周面５４０６Ｂに臨ませた状態で固定レンズ２６０２の当て付け面２６１０を当接部５４０８に当て付ける方向に付勢する付勢部材５６とを備え、固定レンズ２６０２が第１乃至第４接着剤注入孔５４１０Ａ、５４１０Ｂ、５４１０Ｃ、５４１０Ｄから固定レンズ２６０２の外周面２６０８Ｂと内周面５４０６Ｂとの間に充填された接着剤Ｓにより固定される構成としたので、レンズ鏡筒１２の内部に固定レンズ２６０２が配設された状態で固定レンズ２６０２の光学系に対する位置決め（調芯）および固定レンズ２６０２のレンズ鏡筒１２への取着を容易かつ確実に行なうことができる。
また、固定レンズ２６０２の位置決めを行なうための専用の機構をレンズ鏡筒１２に新たに設ける必要が無いため、小型化および低コスト化を図る上で有利である。
また、固定レンズ２６０２の位置決めと接着を同一の接着剤注入孔５４１０を用いて行なうため、鏡筒１２に設ける孔が少なくて済み、鏡筒１２の小型化および強度向上を図る上で有利である。
また、固定レンズ２６０２の接着時に、第１乃至第４接着剤注入孔５４１０Ａ、５４１０Ｂ、５４１０Ｃ、５４１０Ｄも同時に固定レンズ２６０２の接着に用いる接着剤Ｓによって閉塞するため、接着剤注入孔５４１０を閉塞する部材やこのような部材を取付ける作業が不要となり、低コスト化を図る上で有利であり、また、塵埃の鏡筒１２内部への侵入を確実に防止できる。
また、固定レンズ２６０２の位置決めは第１接着剤注入孔５４１０Ａから挿入した単一の付勢ロッド５８と第２、第３接着剤注入孔５４１０Ｂ、５４１０Ｃから挿入した２つの調整ロッド６０とによって直接固定レンズ２６０２を動かして行なうため、固定レンズ２６０２の調芯を行なうための専用の機構をレンズ鏡筒１２の内部に設ける場合に比較して位置決め精度を向上させる上で有利となる。
【００３０】
なお、本実施例では、接着剤注入孔５４１０を第１乃至第４接着剤注入孔５４１０Ａ、５４１０Ｂ、５４１０Ｃ、５４１０Ｄの４個設けたが、接着剤注入孔５４１０は付勢ロッド５８と２つの調整ロッド６０を挿入するために少なくとも３個あればよい。
また、本実施例においては、撮像装置としてデジタルスチルカメラを例示したが、本発明はビデオカメラやテレビカメラなど撮像装置に無論適用可能である。
【図面の簡単な説明】
【００３１】
【図１】実施例１の撮像装置を前方から見た斜視図である。
【図２】実施例１の撮像装置を後方から見た斜視図である。
【図３】実施例１の撮像装置を下方から見た斜視図である。
【図４】メモリカードおよびバッテリーの収容状態を説明する説明図である。
【図５】撮像装置の制御系を示すブロック図である。
【図６】レンズ鏡筒１０を斜め前方から見た斜視図である。
【図７】レンズ鏡筒１０を斜め後方から見た斜視図である。
【図８】レンズ鏡筒１０の一部の構成を示す分解斜視図である。
【図９】レンズ鏡筒１０の残りの構成を示す分解斜視図である。
【図１０】図６のＸＸ線断面図である。
【図１１】図６のＹＹ線断面図である。
【図１２】レンズ鏡筒１０の左側部分の断面斜視図である。
【図１３】レンズ鏡筒１０の右側部分の断面斜視図である。
【図１４】第１鏡筒分割体１２０２の横断面図である。
【図１５】第２鏡筒分割体１２０４の横断面図である。
【図１６】ズーム用可動レンズ群１８、フォーカス用可動レンズ群２０の斜視図である。
【図１７】第２鏡筒分割体１２０４の要部の断面斜視図である。
【図１８】第１鏡筒分割体１２０２、第２鏡筒分割体１２０４、第３鏡筒分割体１２０６の断面図である。
【図１９】第２鏡筒分割体１２０４の一部を破断した分解斜視図である。
【図２０】第２鏡筒分割体１２０４の横断面図である。
【図２１】第２鏡筒分割体１２０４に対する第３の固定レンズ群２６の取付状態を示す横断面図である。
【図２２】第２鏡筒分割体１２０４に対する第３の固定レンズ群２６の取付状態を示す縦断面図である。
【図２３】第３固定レンズ群２６の取付手順の説明図である。
【図２４】第３固定レンズ群２６の取付手順の説明図である。
【図２５】第３固定レンズ群２６の取付手順の説明図である。
【符号の説明】
【００３２】
１００……撮像装置、１２８……撮像素子、１０……レンズ鏡筒、１２……鏡筒、
２６……第３固定レンズ群、２６０２……固定レンズ、２６０４……前面、２６０６……背面、２６０８……外周面、２６１０……当て付け面、５４……レンズ取付部、５４０８……当接部、５６……付勢部材、５８……付勢ロッド、６０……調整ロッド、５４１０Ａ……第１接着剤注入孔、５４１０Ｂ……第２接着剤注入孔、５４１０Ｃ……第３接着剤注入孔、５４１０Ｄ……第４接着剤注入孔、Ｓ……接着剤。
【図１】
2005122069.tif 000003
【図２】
2005122069.tif 000004
【図３】
2005122069.tif 000005
【図４】
2005122069.tif 000006
【図５】
2005122069.tif 000007
【図６】
2005122069.tif 000008
【図７】
2005122069.tif 000009
【図８】
2005122069.tif 000010
【図９】
2005122069.tif 000011
【図１０】
2005122069.tif 000012
【図１１】
2005122069.tif 000013
【図１２】
2005122069.tif 000014
【図１３】
2005122069.tif 000015
【図１４】
2005122069.tif 000016
【図１５】
2005122069.tif 000017
【図１６】
2005122069.tif 000018
【図１７】
2005122069.tif 000019
【図１８】
2005122069.tif 000020
【図１９】
2005122069.tif 000021
【図２０】
2005122069.tif 000022
【図２１】
2005122069.tif 000023
【図２２】
2005122069.tif 000024
【図２３】
2005122069.tif 000025
【図２４】
2005122069.tif 000026
【図２５】
2005122069.tif 000027